(57)【要約】【課題】  携帯電話機で撮像した映像に広告情報を含む映像を連結した映像を、視聴者の携帯電話機に配信する情報提供システムを提供する。【解決手段】  第１の映像蓄積サーバ３に記憶された映像ファイルと、第２の映像蓄積サーバ５に記憶された映像ファイルについて、視聴者の携帯電話機６から管理サーバ４をアクセスして第１の映像ファイルに係る映像の配信要求が発生すると、第１の映像蓄積サーバ３は第２の映像蓄積サーバ５に記憶されている第２の映像ファイルを取得して、第１の映像ファイルと第２の映像ファイルとを連結する。そして、この連結した一つの映像ファイルに係る映像を、配信要求を行なった視聴者の携帯電話機６に配信するようにした携帯電話機を利用した映像の配信システムである。【選択図】図１
2007221739.tif 000002
【特許請求の範囲】
【請求項１】
サーバに記憶された映像ファイルであって、携帯電話機で再生可能なデータ形式からなる第１の映像ファイルと第２の映像ファイルについて、視聴者の携帯電話機から前記第１の映像ファイルに係る映像の配信要求が発生すると、
前記第１の映像ファイルと前記第２の映像ファイルとを連結し、前記連結した一つの映像ファイルに係る映像を、前記配信要求を行なった視聴者の携帯電話機に配信するようになされていることを特徴とする携帯電話機を利用した映像の配信方法。
【請求項２】
第１の映像蓄積サーバに記憶された映像ファイルであって、携帯電話機で再生可能なデータ形式からなる第１の映像ファイルと、第２の映像蓄積サーバに記憶された映像ファイルであって、携帯電話機で再生可能なデータ形式からなる第２の映像ファイルを備え、
視聴者の携帯電話機から管理サーバをアクセスして前記第１の映像ファイルに係る映像の配信要求が発生すると、前記第１の映像蓄積サーバは前記第２の映像蓄積サーバに記憶されている前記第２の映像ファイルを取得して、前記第１の映像ファイルと前記第２の映像ファイルとを連結し、前記連結した一つの映像ファイルに係る映像を、前記配信要求を行なった視聴者の携帯電話機に配信するようになされていることを特徴とする携帯電話機を利用した映像の配信方法。
【請求項３】
前記第１の映像ファイルは、配信依頼者が携帯電話機で撮像した映像ファイルから構成されることを特徴とする請求項１または請求項２に記載の携帯電話機を利用した映像の配信方法。
【請求項４】
前記第２の映像ファイルは、商品等の広告に関する広告情報を含む映像ファイルから構成されることを特徴とする請求項１または請求項２に記載の携帯電話機を利用した映像の配信方法。
【請求項５】
配信依頼者の携帯電話機と、
前記配信依頼者の携帯電話機で撮像された映像データから構成される第１の映像ファイルを蓄積する第１の映像蓄積サーバと、携帯電話機で再生可能なデータ形式からなる第２の映像ファイルを蓄積する第２の映像蓄積サーバと、
管理サーバをアクセスして前記配信依頼者に設定されたチャンネル番号を入力して、前記第１の映像蓄積サーバに蓄積された前記第１の映像ファイルに係る映像の配信要求を行なう視聴者の携帯電話機と、を備えた携帯電話機を利用した映像配信システムであって、
前記管理サーバは、
前記チャンネル番号ごとに、前記第１の映像ファイルを蓄積する前記第１の映像蓄積サーバのＵＲＬと、前記第２の映像ファイルを蓄積する前記第２の映像蓄積サーバのＵＲＬとを登録した映像配信管理データベースと、
前記視聴者の携帯電話機からの配信要求により取得した前記チャンネル番号に対応して前記映像配信管理データベースに登録されている前記第１および前記第２の映像蓄積サーバのＵＲＬを前記第１の映像蓄積サーバに送信する手段を備え、
前記第１の映像蓄積サーバは、
前記管理サーバから取得した前記第２の映像蓄積サーバのＵＲＬに基づいて前記第２の映像蓄積サーバから前記第２の映像ファイルを取得して、前記管理サーバから取得した前記第１の映像蓄積サーバのＵＲＬに蓄積されている第１の映像ファイルと、前記取得した前記第２の映像ファイルとを一つの映像ファイルに連結する映像ファイル連結手段を備え、
前記映像ファイル連結手段により連結された映像ファイルに係る映像を前記視聴者の携帯電話機に送信されるようになされていることを特徴とする携帯電話機を利用した映像配信システム。
【請求項６】
前記第１の映像ファイルは、配信依頼者が携帯電話機で撮像した映像ファイルから構成されることを特徴とする請求項５に記載の携帯電話機を利用した映像配信システム。
【請求項７】
前記第２の映像ファイルは、商品等の広告に関する広告情報を含む映像ファイルから構成されることを特徴とする請求項５に記載の携帯電話機を利用した映像配信システム。
【請求項８】
前記第２の映像蓄積サーバは、前記商品等の広告を行なう広告主またはその委託者が管理するサーバであることを特徴とする請求項５に記載の携帯電話機を利用した映像配信システム。
【発明の詳細な説明】
【技術分野】
【０００１】  本発明は、動画像あるいは静止画像を含む映像を、視聴者の携帯電話機に配信するサービスを行なうための携帯電話機を利用した映像の配信方法、およびその映像配信システムに関するものである。
【背景技術】
【０００２】  インターネット技術の普及に伴なって、種々の分野において各種の情報を提供するシステムが開発され、実用化されている。この一例として、パーソナルコンピュータから構成される端末装置から検索用のＷｅｂサイトをアクセスすると、検索用のＷｅｂページが表示される。この検索用のＷｅｂページには、各種のバナー広告を表示する領域が設けられている。このバナー広告を表示する領域には、広告用文字、あるいは画像が表示されている。【０００３】  このバナー広告の表示領域をマウスでクリックすると、広告主のＷｅｂサイトのＵＲＬ（Ｕｎｉｆｏｒｍ  Ｒｅｓｏｕｒｃｅ  Ｌｏｃａｔｏｒ）にリンクして、この広告に関する情報を、文字情報、画像を含む文字情報、あるいは動画像として閲覧することができる。このように、広告主のＷｅｂサイトのＵＲＬにリンクする方法は、Ｗｅｂページを記述したＨＴＭＬ言語内に広告主のＷｅｂサイトのＵＲＬを埋め込もことにより可能になる。【０００４】  一方、近年の携帯電話機の技術進歩により、インターネット接続機能を備えた携帯電話機からＷｅｂサイトをアクセスすると、Ｗｅｂサイトが蓄積している各種の情報をこの携帯電話機に配信する情報提供システムシステムも実用化されている。また、３ＧＰＰ（３ｒｄ  Ｇｅｎｅｒａｔｉｏｎ  Ｐａｒｔｎｅｒｓｈｉｐ  Ｐｒｏｊｅｃｔ）仕様に準拠した動画像撮像機能を備えた携帯電話機の普及により、携帯電話機で撮像した音声を含む動画像をメールに添付して外国を含む遠方にいる家族や友人の携帯電話機に送信することも行なわれている。【０００５】  このように、特に、個人が携帯電話機で撮像した動画像を、インターネットを利用して他の携帯電話機で再生して視聴することが気楽に行なわれるようになると、この送信する動画像データとともに、企業等の広告主が撮像した広告情報も動画像として併せて送信する携帯電話による情報提供システムを開発すると、その応用分野は極めて広く、かつ、国内のみならず、外国を含んだ情報提供システムを構築することが可能になる。【０００６】  例えば、個人が外国に旅行して、観光地等において携帯電話機で撮像した映像を映像蓄積サーバにアップロードする。そして、国内にいる家族等が携帯電話機によりこの映像蓄積サーバに蓄積された映像の配信要求を行なうと、この携帯電話機で撮像した映像ファイルに広告主が作成した広告用の映像ファイルを連結（レンダリング）して配信するような映像配信のサービスシステムが考えられる。このような映像配信サービスシステムシステムにおいては、受信側の携帯電話機では最初に広告用の映像が、例えば、５秒〜１０秒程度視聴可能にし、続いて上記例のように、観光地等において携帯電話機で撮像した映像が２０秒〜３０秒程度視聴できるようにする。【０００７】  このようなシステムを開発して実用化すると、システムの運営者は、広告主から広告情報の配信に対する手数料収入を得ることが可能になる。また、システムの運営者は、広告主から広告情報配信に対する手数料収入を得ることが可能になるので、本システムを利用する個人等の映像の配信依頼者や受信側の視聴者に対して、システムの利用に対する課金等を無料にすることが可能になる。【０００８】  上記した携帯電話機を利用した映像配信（情報提供）システムを実用化するための技術課題として、配信依頼者が携帯電話機で撮像した映像ファイルと、広告主が撮像した広告情報からなる映像ファイルを一つの映像ファイルに効率良く統合（連結）して配信することが課題になる。【０００９】  上記した技術課題を解決する手段として、例えば、下記の特許文献に記載の発明が提案されている。【００１０】
【特許文献１】  特開２００３−１２２６０４号公報
【特許文献２】  特開２００５−１２８４７８号公報
【００１１】  特許文献１には、動画ファイルを複数のデータ形式にコンバートする処理を効率化するための、動画ファイルのコンバート方法が提案されている。同文献１には、このコンバート方法として、まず、複数の動画ファイルを補助記憶装置から読み出して、これら複数の動画ファイルを連結し、連結した動画ファイルを中間ファイルとして主記憶装置に記憶する。続いて、この中間ファイルから、データ形式が相違する複数の動画ファイルを生成して、これら各動画ファイルを補助記憶装置に格納するようにした、動画ファイルのデータ形式をコンバートする方法が記載されている。【００１２】  特許文献２には、広告応募者が作成した映像を用いて広告映像を作成し、この広告応募者が広告宣伝活動に参加することができるようにした広告配信システムが提案されている。同文献には、広告応募者が作成した第１の映像と、広告情報を含む第２の映像とを合成して広告映像を作成してデータベースに記憶し、この合成した広告映像を、ネットワークを介して閲覧可能にした広告配信システムが記載されている。さらに、特許文献２には、この広告映像をＷｅｂサイトから携帯電話機にダウンロードして閲覧可能にすることが記載されている。
【発明の開示】
【発明が解決しようとする課題】
【００１３】  上記特許文献１、２には、複数の映像ファイルを一つのファイルに統合することが記載されている。しかし、特許文献１には、複数の映像ファイルを一つのファイルに連結した映像ファイルを、インターネットを介して、携帯電話機等に配信する技術については開示されていない。【００１４】  特許文献２に記載のシステムは、映像ファイルに広告情報を含む他の映像ファイルを合成して一つの映像ファイルにしてサーバに蓄積した後、携帯電話機等からの配信要求に基づいてこの合成した映像ファイルを配信するようにしたシステムである。特許文献２に記載のシステムにおいては、映像ファイルに広告情報を含む映像ファイルを合成する操作に手間と時間を要するために、予め映像ファイルに広告情報を含む映像ファイルを合成した映像ファイルを作成した後、この合成映像ファイルを映像蓄積サーバに蓄積する必要がある。【００１５】  そこで、本発明の目的は、個人等が所有している携帯電話機で撮像した映像を予め映像蓄積サーバに記憶し、視聴者の携帯電話機からこの映像の配信要求が発生したときに、この映像と、企業等の広告主が提供する商品等の広告情報を含む映像とを一つのファイルに連結し、この一つのファイルにした映像を視聴者の携帯電話機に配信することにより、個人等が携帯電話機で撮像した映像と商品等の広告情報を含む映像とが切れ目なく視聴することができ、かつ、商品等の広告効果も向上させることができる携帯電話機を利用した情報提供システムを提供することにある。
【課題を解決するための手段】
【００１６】  本発明は、サーバに記憶された映像ファイルであって、携帯電話機で再生可能なデータ形式からなる第１の映像ファイルと第２の映像ファイルについて、視聴者の携帯電話機から前記第１の映像ファイルに係る映像の配信要求が発生すると、
前記第１の映像ファイルと前記第２の映像ファイルとを連結し、前記連結した一つの映像ファイルに係る映像を、前記配信要求を行なった視聴者の携帯電話機に配信する携帯電話機を利用した映像の配信方法である。【００１７】  さらに、本発明は、第１の映像蓄積サーバに記憶された映像ファイルであって、携帯電話機で再生可能なデータ形式からなる第１の映像ファイルと、第２の映像蓄積サーバに記憶された映像ファイルであって、携帯電話機で再生可能なデータ形式からなる第２の映像ファイルを備え、
視聴者の携帯電話機から管理サーバをアクセスして前記第１の映像ファイルに係る映像の配信要求が発生すると、前記第１の映像蓄積サーバは前記第２の映像蓄積サーバに記憶されている前記第２の映像ファイルを取得して、前記第１の映像ファイルと前記第２の映像ファイルとを連結し、前記連結した一つの映像ファイルに係る映像を、前記配信要求を行なった視聴者の携帯電話機に配信するようになされている携帯電話機を利用した映像の配信方法である。【００１８】  さらに、本発明は、前記第１の映像ファイルは、配信依頼者が携帯電話機で撮像した映像ファイルから構成される携帯電話機を利用した映像の配信方法である。【００１９】  さらに、本発明は、前記第２の映像ファイルは、商品等の広告に関する広告情報を含む映像ファイルから構成される携帯電話機を利用した映像の配信方法である。【００２０】  また、本発明は、配信依頼者の携帯電話機と、
前記配信依頼者の携帯電話機で撮像された映像データから構成される第１の映像ファイルを蓄積する第１の映像蓄積サーバと、携帯電話機で再生可能なデータ形式からなる第２の映像ファイルを蓄積する第２の映像蓄積サーバと、
管理サーバをアクセスして前記配信依頼者に設定されたチャンネル番号を入力して、前記第１の映像蓄積サーバに蓄積された前記第１の映像ファイルに係る映像の配信要求を行なう視聴者の携帯電話機と、を備えた携帯電話機を利用した映像配信システムであって、
前記管理サーバは、
前記チャンネル番号ごとに、前記第１の映像ファイルを蓄積する前記第１の映像蓄積サーバのＵＲＬと、前記第２の映像ファイルを蓄積する前記第２の映像蓄積サーバのＵＲＬとを登録した映像配信管理データベースと、
前記視聴者の携帯電話機からの配信要求により取得した前記チャンネル番号に対応して前記映像配信管理データベースに登録されている前記第１および前記第２の映像蓄積サーバのＵＲＬを前記第１の映像蓄積サーバに送信する手段を備え、
前記第１の映像蓄積サーバは、
前記管理サーバから取得した前記第２の映像蓄積サーバのＵＲＬに基づいて前記第２の映像蓄積サーバから前記第２の映像ファイルを取得して、前記管理サーバから取得した前記第１の映像蓄積サーバのＵＲＬに蓄積されている第１の映像ファイルと、前記取得した前記第２の映像ファイルとを一つの映像ファイルに連結する映像ファイル連結手段を備え、
前記映像ファイル連結手段により連結された前記一つの映像ファイルに係る映像を前記視聴者の携帯電話機に送信されるようになされている携帯電話機を利用した映像配信システムである。【００２１】  さらに、本発明は、前記第１の映像ファイルは、配信依頼者が携帯電話機で撮像した映像ファイルから構成される携帯電話機を利用した映像配信システムである。【００２２】さらに、本発明は、前記第２の映像ファイルは、商品等の広告に関する広告情報を含む映像ファイルから構成される携帯電話機を利用した映像配信システムである。【００２３】  さらに、本発明は、前記第２の映像蓄積サーバは、前記商品等の広告を行なう広告主またはその委託者が管理するサーバである携帯電話機を利用した映像配信システムである。【００２４】  上記した配信依頼者とは、この配信依頼者が所有している携帯電話機で撮像した映像を、家族、知人等の視聴者が所有している携帯電話機で視聴してもらうために映像蓄積サーバにアップロードする者であって、本発明のシステムの利用についてユーザー登録を行なっている者を示す。また、配信依頼者は主として個人を示すが企業、団体等であってもよい。
【発明の効果】
【００２５】  本発明は、次のような効果を有している。
（１）配信依頼者が携帯電話機で撮像した映像に、企業等の広告主が作成した広告情報を含む映像を連結して一つのファイルにした映像を、携帯電話機に配信して視聴できるようにしている。これにより、本発明が実施する映像の配信サービスに関する手数料等について、本システムの運営者は、広告主に対して請求し、配信依頼者に対しては、本システムの利用についてユーザー登録を行うのみで配信に対する課金を請求しないシステムにすることが可能になる。【００２６】  （２）上記（１）により、個人等の一般ユーザーは、本システムを利用して外国を含む遠方にいる家族、友人等に、自分の携帯電話機で撮像した映像を気楽に視聴してもらうことが可能になる。また、家族や友人等がこの映像を視聴するときに、広告主の広告情報を含む映像を最初に視聴させることができる。これにより、本発明は、企業主の広告効果をより向上させる携帯電話機を利用した情報提供システムを提供することが可能になる。また、携帯電話機の技術進歩および仕様の統一により、国内および外国においてもサービス可能な携帯電話機を利用した情報提供システムを提供することができる。
【発明を実施するための最良の形態】
【００２７】  本発明は、携帯電話機で再生可能なデータ形式でサーバに記憶された第１の映像ファイルと広告情報を含む第２の映像ファイルについて、視聴者の携帯電話機からこの第１の映像ファイルに関する映像の配信要求が発生すると、これら第１の映像ファイルと第２の映像ファイルとを一つのファイルに連結して、視聴者の携帯電話機に配信するようにしたことに特徴がある。以下、本発明を実施するための形態を、図面に基づいて説明する。図１は、本発明のシステムを実施するためのシステム構成の一例を示す。【００２８】  図１において、１ａ、１ｂは配信依頼者の携帯電話機である。携帯電話機１ａ、１ｂは、インターネット接続機能とカメラ機能を備えている必要がある。このカメラ機能としては、少なくとも静止画像を撮像する機能を有する必要があるが、本システムの機能をより発揮するためには、３ＧＰＰまたは３ＧＰＰ２により策定された仕様を取り込んだ音声を含む動画像の撮像と再生機能を備えていることがより望ましい。なお、以下の説明において、配信依頼者の携帯電話機１ａ、１ｂを代表して説明するときは、携帯電話機１と記載して説明する。【００２９】  ２は、配信依頼者が所有しているパーソナルコンピュータから構成される端末装置である。本発明のシステムにおいてこの端末装置２は必ずしも必要としないが、本発明のシステムを利用する配信依頼者が、後記するユーザー登録を行なうときに、携帯電話機１ａ、１ｂに換えて端末装置２を利用して行なうことができるようにするために設けている。【００３０】  ３は、第１の映像蓄積サーバである。第１の映像蓄積サーバは、配信依頼者が所有している携帯電話機１で撮像した音声を含む動画または静止画像に関するデータをファイル（以下、第１の映像ファイルという）として外部記憶装置に記憶（蓄積）するためのサーバである。なお、第１の映像蓄積サーバ３に蓄積された第１の映像ファイルは、携帯電話機１で撮像した映像データについてそのデータ形式を変換することなく、そのまま蓄積される。また、第１の映像ファイルには、音声が含まれていてもよい。【００３１】  ４は、管理サーバである。管理サーバ４は、本システムを利用する配信依頼者のユーザー登録、配信依頼者が携帯電話機１で撮像した映像を第１の映像蓄積サーバ３にアップロードする操作、視聴者の携帯電話機から第１の映像蓄積サーバ３に蓄積されている映像の配信要求の受信と配信制御、等を行なうためのサーバである。【００３２】  ５ａ、５ｂは、第２の映像蓄積サーバである。第２の映像蓄積サーバ５ａ、５ｂの外部記憶装置には、携帯電話機で再生（視聴）可能なデータ形式に変換された動画像または静止画像がファイル（以下、第２の映像ファイルという）として記憶されている。第２の映像ファイルには、音声が含まれていてもよい。【００３３】  第２の映像蓄積サーバ５ａ、５ｂは、各種の企業や団体等が所有あるいはその委託者、例えば、広告代理店等が管理しているサーバであって、国内のみならず、外国に設置されていてもよい。また、第２の映像蓄積サーバ５ａ、５ｂに蓄積されている第２の映像ファイルは、企業や団体等が取り扱っている商品、あるいはサービス提供に関する広告情報を含む映像から構成さ���る。例えば、第２の映像蓄積サーバ５ａには、第２の映像蓄積サーバ５ａを管理している企業の商品に関する広告情報を含む映像ファイルが記憶されている。なお、以下の説明において、第２の映像蓄積サーバ５ａ、５ｂを代表して説明するときは、第２の映像蓄積サーバ５と記載して説明する。【００３４】  ６ａ、６ｂは、視聴者の携帯電話機であって、管理サーバ４をアクセスして第１の映像管理サーバ３に蓄積されている映像の配信要求とその視聴を行なうために使用される。携帯電話機６ａ、６ｂは、インターネット接続機能と、動画像を再生して視聴する機能を備えている携帯電話機であって、前記した３ＧＰＰ、または３ＧＰＰ２により策定された仕様を備えていることが望ましい。なお、以下の説明において、視聴者の携帯電話機６ａ、６ｂを代表して説明するときは、携帯電話機６と記載して説明する。【００３５】  上記した配信依頼者の端末装置２、第１の映像蓄積サーバ３、管理サーバ４、第２の映像蓄積サーバ５ａ、５ｂは、インターネット７に接続されている。また、配信依頼者の携帯電話機１ａ、１ｂ、視聴者の携帯電話機６ａ、６ｂは、地上基地局８、携帯電話機のサービス会社のサーバ９を介してインターネット７に接続されようになっている。【００３６】  続いて、本発明のシステムを稼動させるために、上記した管理サーバＡが備えているデータベースの構成例について説明する。管理サーバ４は、映像配信管理データベースＡ、機体番号データベースＢ、広告主データベース等を、外部記憶装置に備えている。【００３７】  映像配信管理データベースＡは、本発明のシステムの利用についてユーザー登録を行なった配信依頼者に設定（発行）した映像識別情報（以下、チャンネル番号という）ごとに、各種の管理データを登録したデータベースである。図２に示すように、映像配信管理データベースＡには、チャンネル番号ａ１ごとに、第１の映像蓄積サーバ３のＵＲＬ（ａ２）、第２の映像蓄積サーバ５のＵＲＬ（ａ３）、広告主とその広告主コードａ４、配信依頼者が所有している携帯電話機１のメールアドレスａ５、配信依頼者設定ａ６、および配信依頼者の氏名、住所等が登録されている。【００３８】  映像配信管理データベースＡに登録しているチャンネル番号ａ１は、ユーザー登録を行なった配信依頼者を識別するとともに、この配信依頼者が撮像した映像を識別するための固有の映像識別情報になるものであって、５〜１２桁程度の数字あるいは英数字から構成されている。このチャンネル番号ａ１は、本システムを運営する運営者側（以下、本システムの運営者という）が設定した識別情報であって、予め、システム運営者が広告主ごとの契約に基づいて、複数のチャンネル番号ａ１を広告主に貸与（例えば、１年間レンタル）する。そして、本システムの利用についてユーザー登録を行った配信依頼者ごとに、このチャンネル番号ａ１の一つがプログラム処理により設定（割り付けられる）されることになる。【００３９】  図１に示す例では、本システムの運営者は，ＡＡ社にチャンネル番号「００００００００１」〜「０００１０００００」までの１０万個のチャンネル番号を貸与していることを示している。【００４０】  同じく、第１の映像蓄積サーバのＵ��Ｌ（ａ２）は、上記チャンネル番号ａ１が設定された配信依頼者が自分の携帯電話機１で撮像した第１の映像ファイルを蓄積している第１の映像蓄積サーバ３のＵＲＬを示す。このＵＲＬ（ａ２）は、スキーム名、ドメイン名、ディレクトリから構成される。この第１の映像蓄積サーバのＵＲＬ（ａ２）は、本システムの運営者が予め設定して登録しておいてもよい。【００４１】  同じく、第２の映像蓄積サーバのＵＲＬ（ａ３）は、広告主側が撮像した広告情報を含む第２の映像ファイルを蓄積している第２の映像蓄積サーバ５のＵＲＬを示す。このＵＲＬ（ａ３）は、スキーム名、ドメイン名、ディレクトリから構成される。【００４２】  同じく、広告主コードａ４は、配信依頼者がユーザー登録を行なった際に、配信依頼者が携帯電話機１で撮像した映像に、どの広告主の映像を連結するかについて配信依頼者が選択した広告主に係る広告主のコードを示す。【００４３】  同じく、配信依頼者のメールアドレスａ５は、ユーザー登録を行なった配信依頼者が所有している携帯電話機１のメールアドレスを示す。このメールアドレスａ５は、ユーザー登録を行なったときに取得して、映像配信管理データベースＡに登録される。【００４４】  同じく、配信依頼者設定ａ６は、ユーザー登録を行なった配信依頼者にチャンネル番号ａ１が割り付け（設定）られているか否かを示すデータである。配信依頼者設定ａ６には、初期値として未設定を表す「０」を記憶し、ユーザー登録により配信依頼者にチャンネル番号ａ１が設定されると「１」を記憶するようにする。【００４５】  なお、映像配信管理データベースＡに登録するチャンネル番号ａ１、第１の映像蓄積サーバのＵＲＬ（ａ２）、第２の映像蓄積サーバのＵＲＬ（ａ３）、広告主コードａ４は、予め本システムの運営者で設定して、映像配信管理データベースＡに登録しておく。また、管理サーバ４は、本システムを利用する配信依頼者をユーザー登録用のＷｅｂページにより募集し、このユーザー登録用のＷｅｂページを利用して、メールアドレスａ５等の配信依頼者に関する属性情報を取得し、取得した属性情報をプログラム（ユーザー登録プログラム）処理により映像配信管理データベースＡに登録するようにしてもよい。【００４６】  機体番号データベースＢは、図３に示すように、チャンネル番号ａ１ごとに、このチャンネル番号ａ１が設定された配信依頼者が所有している携帯電話機１の機体番号ｂ１を登録したデータベースであって、配信依頼者が携帯電話機１で撮像した映像を第１の映像蓄積サーバ３にアップロードするときに、この配信依頼者を認証するために使用される。【００４７】  機体番号ｂ１は、携帯電話機１を識別するための固有の識別情報であって、携帯電話機１の製造時に所定の桁数からなる数字、または英数字からなる機体番号ｂ１が携帯電話機１の記憶装置に記憶される。また、パーソナルコンピュータ等の外部装置等から携帯電話機１に対して機体番号ｂ１の送信要求を行なうと、携帯電話機１が備えているプログラムは、この携帯電話機１に記憶されている機体番号ｂ１を外部装置に送信する機能を有している。なお、ＩＣチップからなるＩＣカードを搭載した携帯電話機１においては、このＩＣカードに記憶されている識別番号を機体番号ｂ１として利用してもよい。【００４８】  本発明のシステムにおいては、配信依頼者が携帯電話機１により管理サーバ４が備えているユーザー登録用Ｗｅｂページをアクセスして、ユーザー登録を行なうときに、上記した携帯電話機１が備えている機体番号送信機能を利用して配信依頼者の携帯電話機１の機体番号ｂ１を取得して、映像配信管理データベースＡに登録するようにしている。【００４９】  広告主データベースは、図示していないが、本システムを利用について本システムの運営者と契約を行なった広告主ごとに、名称、この広告主のコードａ４等の広告主に関する属性情報を登録したデータベースである。【００５０】  第２の映像蓄積サーバ５に蓄積される第２の映像ファイルは、例えば、下記（１）〜（２）に記載の手順により作成することができる。【００５１】  （１）まず、ビデオカメラ等で撮像された広告情報（コマーシャル）を含む第２の映像ファイルの元データを、パーソナルコンピュータ等に読み込んで、ＡＶＩフォーマットにデータ変換して外部記憶装置に記憶する。
（２）このＡＶＩフォーマットの映像ファイルは、携帯電話機に配信して視聴することはできないので、続いて、このＡＶＩフォーマットからなる第２の映像ファイルを携帯電話機で視聴可能なデータフォーマットに変換する処理を行なう。この変換した第２の映像ファイルを第２の映像蓄積サーバ５の外部記憶装置に蓄積する。この変換処理は、公知のファイル変換用ソフトウエアを利用して行なうことができる。【００５２】  また、本システムの運営者は、予め広告主を募集し、広告主ごとの契約に基づいて、前記したように、複数のチャンネル番号ａ１を貸与（例えば、１年間レンタル）する。そして、広告主側は、第２の映像ファイルを記憶しておく第２の映像蓄積サーバ５のＵＲＬ（ａ３）を本システムの運営者側に連絡する。このとき、広告主側は商品ごとに複数種の第２の映像ファイルを作成して、チャンネル番号ａ１ごとに第２の映像ファイルを記憶しておく第２の映像蓄積サーバ５のＵＲＬ（ａ３）を設定してもよい。【００５３】  このようにして、本システムの運営者は、映像配信管理データベースＡのチャンネル番号ａ１について、このチャンネル番号ａ１に対応する第２の映像蓄積サーバ５のＵＲＬ（ａ３）を登録することができる。【００５４】  続いて、本発明のシステムの動作について説明する。図４および図５は、本発明のシステムについて、動作の流れと処理内容を示す図である。以下、図４〜図５に示すステップ順に説明する。【００５５】（ステップＳ１）
配信依頼者は、携帯電話機１を操作して、管理サーバ４がインターネット７上に公開するユーザー登録用Ｗｅｂページをアクセスして、ユーザー登録を行なう。このユーザー登録において、管理サーバ４は、ユーザー登録用Ｗｅｂページを利用して配信依頼者の氏名、住所、広告主、配信依頼者が所有している携帯電話機１のメールアドレス、等を入力する欄を設けてこれらの情報を取得するようにする。【００５６】  なお、ユーザー登録用Ｗｅｂページを利用して取得する上記広告主とは、配信依頼者が第１の映像蓄積サーバ３にアップロードして蓄積した第１の映像ファイルについて、視聴者から配信要求が発生したときにこの第１の映像ファイルに連結する第２の映像ファイルに係る広告主を示す。この広告主の入力については、例えば、ユーザー登録用Ｗｅｂページに表示した「広告主一覧」をクリックすると、予め登録している広告主名の一覧を表示して、配信依頼者が希望する広告主をクリック操作により選択して入力できるようにする。【００５７】（ステップＳ２）
管理サーバ４は、上記ステップＳ１による配信依頼者のユーザー登録が終了すると、このユーザー登録により取得した情報について、予め備えているユーザー登録プログラムにより下記（処理１）〜（処理２）に記載の処理を行なう。【００５８】（処理１）
ユーザー登録を行なった配信依頼者に対して、この配信依頼者が選択した広告主について広告主データベースを参照して、この広告主に対応する広告主コードａ４を求める。続いて、この広告主コードａ４について映像配信管理データベースＡの配信依頼者設定ａ６欄の記憶内容を順次チェックして、チャンネル番号ａ１に配信依頼者が設定されていないチャンネル番号ａ１を求める。そして、配信依頼者が未設定のチャンネル番号ａ１が検索されると、このチャンネル番号ａ１を、新規にユーザー登録を行なった配信依頼者の識別情報（配信依頼者ＩＤ）として設定する処理を行なう。そして、映像配信管理データベースＡについて、このチャンネル番号ａ１を設定した欄に対応する配信依頼者設定ａ６欄に設定済みを表す「１」を記憶する処理を行なう。【００５９】（処理２）
上記（処理１）で配信依頼者に設定したチャンネル番号ａ１に対応して、ユーザー登録により取得した配信依頼者が所有する携帯電話機１のメールアドレスを、映像配信管理データベースＡのメールアドレスａ５の欄に登録する処理を行なう。【００６０】  なお、上記（処理２）において配信依頼者に設定するチャンネル番号（映像識別情報）ａ１は、このチャンネル番号ａ１と関連付けされた５〜１２桁程度の数字あるいは英数字から構成され他の映像識別情報を設定するしょうにしてもよい。そして、管理サーバ４は、チャンネル番号ａ１とこの映像識別情報とを関連付けしたデータベースを備えるようにする。【００６１】（ステップＳ３）
管理サーバ４は、上記ステップＳ２で設定したチャンネル番号ａ１を、ユーザー登録を行なった配信依頼者のメールアドレスａ５に送信する処理を行なう。【００６２】（ステップＳ４）
管理サーバ４は、上記ステップＳ３により、配信依頼者の携帯電話機１の画面に、例えば、図６に示すような情報をメールで送信する。図６に示す表示画面Ｇ１において、表示領域ｇ１ａにはユーザー登録を行なったこの配信依頼者に設定したチャンネル番号ａ１を表示する。配信依頼者は、この表示を見て自分に設定されたチャンネル番号ａ１を確認することができる。
また、表示画面Ｇ１の表示領域ｇ１ｂには、配信依頼者が所有している携帯電話機１の機体番号ａ４を管理サーバ４に登録するためのＵＲＬを表示するようにする。【００６３】（ステップＳ５）
配信依頼者は自分の携帯電話機１を用いて、上記ステップＳ４により表示画面Ｇ１の表示領域ｇ１ｂに表示されたＵＲＬをアクセスする操作を行なう。この表示領域ｇ１ｂに表示されたＵＲＬは、配信依頼者が所有している携帯電話機１の機体番号ｂ１を取得して管理サーバ４の機体番号データベースＢに登録するためのＷｅｂページを表示するＵＲＬである。【００６４】  配信依頼者が表示画面Ｇ１の表示領域ｇ１ｂをクリックすると、管理サーバ４は、図７に示すＷｅｂページＧ２を携帯電話機１に表示する処理を行なう。このＷｅｂページＧ２には、この配信依頼者に設定されたチャンネル番号ａ１を表示する表示領域ｇ２ａと、「端末登録」のボタンを表示する表示領域ｇ２ｂ、等を設けている。【００６５】  ＷｅｂページＧ２の表示領域ｇ２ｂに表示している「端末登録」のボタンは、配信依頼者がこの「端末登録」のボタンをクリックすることにより、管理サーバ４をアクセスしている携帯電話機１の機体番号ｂ１を、管理サーバ４がプログラム処理により取得するための操作手段になる。なお、管理サーバ４が携帯電話機１の機体番号ｂ１を取得するためには、ＷｅｂページＧ２を表示するためのプログラム言語内に、携帯電話機１の機体番号ｂ１を取得する処理を行なうプログラムを組み込むようにする。【００６６】（ステップＳ６）
管理サーバ４は、ＷｅｂページＧ２に表示された「端末登録」のボタンのクリック操作に基づいて、配信依頼者の携帯電話機１が備えている機体番号ｂ１を取得する。続いて、管理サーバ４は、機体番号データベースＢについて、この配信依頼者に設定したチャンネル番号ａ１に対応して機体番号ｂ１を登録する欄に、取得した機体番号ｂ１を記憶（登録）する処理を行なう。【００６７】  管理サーバ４は、取得した機体番号ｂ１を機体番号データベースＢに登録すると、図８に示すようなＷｅｂページＧ３を配信依頼者の携帯電話機１に表示する処理を行なう。ＷｅｂページＧ３は、配信依頼者に対して、携帯電話機１の機体番号ｂ１の登録が完了したことの連絡と、この携帯電話機１で撮像した映像のアップロードを促すためのＷｅｂページである。ＷｅｂページＧ３の表示領域ｇ３ａには、「ログイン画面へ」のボタンを表示する。そして、配信依頼者は、この「ログイン画面へ」のボタン表示領域ｇ３ａをクリックすると、管理サーバ４は、図９に示すＷｅｂページＧ４を携帯電話機１の画面に表示する処理を行なう。【００６８】  また、表示領域ｇ３ａの下方部には、「ログイン画面へ」のＷｅｂページをアクセスするためのＵＲＬを表示した領域ｇ３ｂを設けておく。そして、このＵＲＬを携帯電話機１のブックマーク機能を利用して携帯電話機１に登録し、配信依頼者は何時でも「ログイン画面へ」のＷｅｂページを容易にアクセスできるようにしておく。【００６９】（ステップＳ７）
配信依頼者は、自分の携帯電話機１を利用して映像を撮像し、撮像した映像を携帯電話機１の記憶装置に記録しておく。この映像は、例えば、配信依頼者が旅行したときの観光地の映像、スポーツ観戦したときの映像等、２０秒〜３０秒程度の動画像、あるいは、静止画像であって、音声を含んだ映像でもよい。【００７０】（ステップＳ８）
配信依頼者は、管理サーバ４が備えている図９に示すログイン用ＷｅｂページＧ４をアクセスして、携帯電話機１で撮像した映像をアップロードする操作を行なう。ＷｅｂページＧ４は、映像をアップロードするためのログイン画面、すなわち、この配信依頼者を認証するためのデータとなる携帯電話機１の機体番号ｂ１を取得するためのＷｅｂページである。【００７１】  なお、ＷｅｂページＧ４を表示するプログラム言語内には、表示領域ｇ４ａに表示されている「Ｅａｓｙ」ボタンをクリックすると、携帯電話機１の機体番号ｂ１を取得する処理を行なうプログラムを組み込んでおく。これにより、配信依頼者は携帯電話機１の画面に表示された「Ｅａｓｙ」ボタンをクリックすると、管理サーバ４は携帯電話機１の機体番号ｂ１を取得することが可能になる。【００７２】（ステップＳ９）
管理サーバ４は、ＷｅｂページＧ４を利用して携帯電話機１の機体番号ｂ１を取得すると、プログラム処理により、この機体番号ｂ１が機体番号データベースＢに登録されているか否かを判定する処理、すなわち、映像をアップロードするために管理サーバ４をアクセスした配信依頼者の認証を、この配信依頼者が保有している携帯電話機１の機体番号ｂ１で行なう処理を行なう。【００７３】  この認証処理の結果、機体番号ｂ１が予め機体番号データベースＢに登録されている場合には、正当な配信依頼者が映像をアップロードしていると判定されるので、管理サーバ４は図１０に示すＷｅｂページＧ５を携帯電話機１に表示する処理を行なう。一方、取得した機体番号ｂ１が機体番号データベースＢに登録されていない場合には、例えば、ＷｅｂページＧ４の表示領域ｇ４ｂに、「機体番号が登録されていません」等のエラーメッセージを表示する処理を行なう。【００７４】  上記したように、配信依頼者が自分の携帯電話機１で撮像した映像をアップロードするために管理サーバ４をアクセスするときに、管理サーバ４がこの配信依頼者を認証する処理は、ＷｅｂページＧ４の「Ｅａｓｙ」ボタンを１回クリックすることにより取得した携帯電話機１の機体番号ｂ１により行なうようにしている。このため、本発明のシステムは、一度携帯電話機１の機体番号ｂ１を管理サーバ４に登録しておくと、配信依頼者が映像をアップロードするために管理サーバ４をアクセスするときに、配信依頼者のＩＤやパスワード等を入力する面倒なログイン操作を行なう必要がなく、かつ、配信依頼者の認証をこの配信依頼者が所有している携帯電話機１の機体番号ｂ１に基づいて行なうので、配信依頼者の認証が確実になる。【００７５】（ステップＳ１０）
配信依頼者は、ＷｅｂページＧ５の「映像更新」ボタンｇ５ａをクリックする操作を行なう。「映像更新」ボタンｇ５ａがクリックされると、管理サーバ４は図１１に示すようなＷｅｂページＧ６を携帯電話機１に表示する処理を行なう。【００７６】  ＷｅｂページＧ６の表示領域ｇ６ａには、携帯電話機１で撮像してこの携帯電話機１に記憶されている映像データを、メールに添付して第１の映像蓄積サーバ３にアップロードするためのメールの件名とアドレスが表示されている。そして、配信依頼者は、映像データをメールに添付してこの表示領域ｇ６ａに表示されているアドレスに送信する操作を行なう。この映像データのアップロード処理は、ＷｅｂページＧ６の表示領域ｇ６ａのクリックにより実行させることができる。【００７７】  ステップＳ１０において、管理サーバ４は、ＷｅｂページＧ６の表示領域ｇ６ａに表示するメールの件名とメール送信先のアドレスのうち、メールの件名は、プログラム処理により、例えば、固有の識別番号から構成される件名とする処理を行なう。そして、この固有の識別番号から構成されたメールの件名と、この配信依頼者に設定されているチャンネル番号ａ１とを記憶装置に一旦記憶しておく。なお、このチャンネル番号ａ１は、管理サーバ４をアクセスしている携帯電話機１から取得した機体番号ｂ１から機体番号データベースＢを参照して求めることができる。【００７８】（ステップＳ１１）
第１の映像蓄積サーバ３は、上記したステップＳ１０に基づいて、映像データを添付したメールを受信すると、プログラム処理により、管理サーバ４に対して、受信したメールの件名を管理サーバ４に送信して、受信したメールに添付されている映像データを蓄積（記憶）するＵＲＬの取得要求を行なう。【００７９】  そして、管理サーバ４は第１の映像蓄積サーバ３から映像を蓄積するＵＲＬの取得要求を受信すると、前記ステップＳ１０により固有の識別番号から構成されたメールの件名に対応して記憶装置に記憶しているチャンネル番号ａ１を求める処理を行なう。続いて、管理サーバ４は、映像配信管理データベースＡを検索してこのチャンネル番号ａ１に対応して登録されている第１の映像蓄積サーバ３のＵＲＬ（ａ２）を求める処理を行なう。そして、求めた第１の映像蓄積サーバ３のＵＲＬ（ａ２）を、ＵＲＬの取得要求を行なった第１の映像蓄積サーバ３に送信する処理を行なう。【００８０】  第１の映像蓄積サーバ３は、管理サーバ４から上記した第１の映像蓄積サーバのＵＲＬ（ａ２）を取得すると、携帯電話機１からメールで送信された映像データを、この受信したＵＲＬ（ａ２）に記憶する処理を行なう。【００８１】  以上に説明したステップＳ１〜Ｓ１１に基づいて、配信依頼者の携帯電話機１で撮像した映像を、第１の映像蓄積サーバ３にアップロードすることができる。また、配信依頼者は、例えば、１日後、新たに撮像した映像を映像蓄積サーバ３にアップロードしたいときには、図９に示す管理サーバ６のログイン用ＷｅｂページＧ４をアクセスすることにより、容易にアップロードを行なうことが可能になる。【００８２】  第２の映像蓄積サーバ５側において、第２の映像ファイルを作成し、この第２の映像ファイルを第２の映像蓄積サーバ５に記憶（蓄積）する手順は、図４のステップＳ２０〜Ｓ２２に示すようになる。【００８３】  まず、ステップＳ２０において、デジタルビデオカメラ等を使用して広告情報が含まれている映像を撮像する。続いて、ステップＳ２１において、この映像データをパーソナルコンピュータ等に読み込んでＡＶＩのデータ形式に変換した後、このＡＶＩ形式の映像ファイルを携帯電話機で再生可能なデータ形式に変換した第２の映像ファイルを作成する。続いて、ステップＳ２２において、ステップＳ２１で作成した第２の映像ファイルを、第２の映像蓄積サーバ５に記憶する処理を行なう。【００８４】  続いて、視聴者が携帯電話機６を利用して第１の映像蓄積サーバ３に蓄積されている第１の映像ファイルに係る映像を視聴するときの情報の流れとその処理内容を、図５に基づいてステップ順に説明する。なお、配信依頼者は自分に設定されたチャンネル番号を、予め、配信依頼者が撮像した映像を視聴する視聴者にメール等で連絡しておく必要がある。【００８５】（ステップＳ３０）
視聴者は、携帯電話機６を利用して管理サーバ４がインターネット７上に公開する配信要求用Ｗｅｂページをアクセスする。管理サーバ４が備えている配信要求用Ｗｅｂページには、視聴者が視聴したいチャンネル番号ａ１を入力する領域を設定しておく。そして、視聴者は、視聴したいチャンネル番号ａ１を入力し、この配信要求用Ｗｅｂページに表示されている「視聴」ボタンをクリックすると、管理サーバ４は携帯電話機６からチャンネル番号ａ１に関する映像の配信要求を受信するようにする。【００８６】（ステップＳ３１）
管理サーバ４は、上記ステップＳ３０により、携帯電話機６からチャンネル番号ａ１を取得すると、配信制御プログラムにより、映像配信管理データベースＡにこの取得したチャンネル番号ａ１が登録されているか否かを判定する処理を行なう。この判定処理により、取得したチャンネル番号ａ１が映像配信管理データベースＡに登録されている場合にはステップＳ３２に進み、登録されていない場合には携帯電話機６の画面に、「チャンネル番号が未登録」等のエラーメッセージを表示する処理を行なう。【００８７】（ステップＳ３２）
ステップＳ３２において、管理サーバ４は配信制御プログラムにより、下記（１）〜（３）に記載の処理を行なう。【００８８】  （１）携帯電話機６から取得したチャンネル番号ａ１に対応して映像配信管理データベースＡに登録されている第１の映像蓄積サーバ３のＵＲＬ（ａ２）を求めて、この第１の映像蓄積サーバ３のＵＲＬ（ａ２）を記憶装置に記憶する処理を行なう。
（２）続いて、同じく、携帯電話機６から取得したチャンネル番号ａ１に対応して映像配信管理データベースＡに登録されている第２の映像蓄積サーバ５のＵＲＬ（ａ３）を求めて、この第２の映像蓄積サーバ５のＵＲＬ（ａ３）を記憶装置に記憶する処理を行なう。
（３）記憶装置に記憶した第１の映像蓄積サーバ３のＵＲＬ（ａ２）と第２の映像蓄積サーバ５のＵＲＬ（ａ３）を、第１の映像蓄積サーバ３に送信する。【００８９】（ステップＳ３３）
第１の映像蓄積サーバ３に搭載されているプログラムは、管理サーバ４から第１の映像蓄積サーバ３のＵＲＬ（ａ２）と第２の映像蓄積サーバ５のＵＲＬ（ａ３）を受信すると、この受信した第２の映像蓄積サーバのＵＲＬ（ａ３）に記憶（蓄積）されている第２の映像ファイルの送信要求を、第２の映像蓄積サーバ５に送信する。【００９０】（ステップＳ３４）
第２の映像蓄積サーバ５に搭載されているプログラムは、第１の映像蓄積サーバ３から第２の映像ファイルの送信要求を受信すると、第２の映像蓄積サーバ５のＵＲＬ（ａ３）に記憶（蓄積）されている第２の映像ファイルを、第１の映像蓄積サーバ３に送信する処理を行なう。【００９１】（ステップＳ３５）
第１の映像蓄積サーバ３は、第２の映像蓄積サーバ５から第２の映像ファイルを取得すると、映像ファイル連結手段となるプログラムの処理により、この第２の映像ファイルと、ステップＳ３３により管理サーバ４から取得した第１の映像蓄積サーバ３のＵＲＬ（ａ２）に蓄積されている第１の映像ファイルとを連結して一つのファイルに統合するファイル連結処理を行なう。【００９２】  このファイル連結の処理は、例えば、次の手順により行なうことができる。
（１）第１の映像ファイルと第２の映像ファイルとを、第１の映像蓄積サーバ３が備えているハードディスク装置等の外部記憶装置に記憶しておく。
（２）外部記憶装置に記憶した第２の映像ファイルについて、順次その所定の記憶容量分の映像データを内部記憶装置に読み出して記憶する。
（３）続いて、この記憶装置に一旦記憶した映像データを外部記憶装置に設定したファイル名に順次記憶する処理を行なう。上記（２）と（３）の処理を、第１の映像ファイルについて最終のデータまで行なう。
（４）続いて、外部記憶装置に記憶した第２の映像ファイルについて、上記（２）〜（３）の処理を行なう。【００９３】  現時点の携帯電話機１において、動画像を再生するための画像データ量は３００Ｋ〜５００ＫＢとされている。従って、上記した第１の映像ファイルと第２の映像ファイルを一つのファイルに連結したときの映像のデータ量は、３００Ｋ〜５００ＫＢになるようにプログラムで制御するとよい。【００９４】  上記した（１）〜（４）の処理により、第１の映像蓄積サーバ３は、第１の映像ファイルと第２の映像ファイルとを一つのファイルに連結し、新しくファイル名を付与して外部記憶装置に記憶する。そして、この新しく付与したファイル名を記憶するＵＲＬは、管理サーバ４から取得した第１の映像蓄積サーバのＵＲＬ（ａ２）とリンクを取ることにより、視聴者の携帯電話機６は、この新しく付与したファイル名に関する映像を視聴することが可能になる。【００９５】  第１の映像ファイルと第２の映像ファイルとを一つのファイルに連結するファイルの順序は、図１２に示すように、ファイルの先頭部分から最初に広告情報を含む第２の映像ファイルを位置付け、続いて、配信依頼者が携帯電話機１で撮像した第１の映像ファイルが連結されるようにする。【００９６】  また、第１の映像ファイルと第２の映像ファイルとを一つのファイルに連結する順序として、図１３に示すように、最初にファイルの先頭から広告情報を含む第２の映像ファイル（Ａ）を位置付け、続いて、配信依頼者が携帯電話機１で撮像した第１の映像ファイルを連結し、さらに、この第１の映像ファイルの終り部分に他の第２の映像ファイル（Ｂ）が連結されるようにしてもよい。【００９７】  第１の映像ファイルと第２の映像ファイルとを、図１３に示すような順序で連結するためには、例えば、第２の映像蓄積サーバ５は複数種の第２の映像ファイルを蓄積しておく。そして、第１の映像蓄積サーバ３からの第２の映像ファイルの転送要求に対して、異なる２種の第２の映像ファイル（Ａ）と（Ｂ）を送信するプログラムを備えておくことにより可能になる。【００９８】  なお、図１３に示す映像ファイルの連結方法を採用した場合、ファイルの終り部分を占める第２の映像ファイル（Ｂ）は静止画像から構成すると、視聴者が携帯電話機６でこの映像ファイルを視聴したときに、静止画像が表示されると映像の視聴が終了すると判断できる効果が生じる。【００９９】（ステップＳ３６）
上記したステップＳ３５の処理により、視聴者の携帯電話機６は、最初に広告情報を含む広告主側の映像（第２の映像ファイルに係る映像）を、続いて配信依頼者が携帯電話機１で撮像した映像（第１の映像ファイルに係る映像）を切れ目なく再生して画面に表示することが可能になる。【０１００】  上記した実施形態の説明において、視聴者が携帯電話機６により管理サーバ４に配信要求を行なうとき、配信依頼者から連絡を受けたチャンネル番号ａ１を入力する例について説明したが、映像配信のセキュリティを高めるために、本発明はさらに次の認証手段（１）、（２）のいずれかを採用するようにしてもよい。【０１０１】  （１）視聴者は管理サーバ４に対してユーザー登録を行ない、管理サーバ４はユーザー登録を行なって視聴者に視聴者ＩＤを発行する。そして、視聴者が管理サーバ４をアクセスして配信要求を行なうときにこの視聴者ＩＤを入力させる。管理サーバ４は携帯電話機６から取得した視聴者ＩＤが予め視聴者データベースに登録されているか否かの認証処理を行なう。【０１０２】  （２）上記（１）の認証手段として、前記した配信依頼者の携帯電話機１の機体番号ｂ１を、配信依頼者の認証手段とした同様に、視聴者が所有している携帯電話機６の機体番号を、予め管理サーバ４に登録しておき、視聴者が配信要求するときにこの機体番号を、視聴者を認証するデータとして採用するようにする。【０１０３】  また、上記した実施形態の説明において、配信依頼者が撮像した第１の映像ファイルに連結する第２の映像ファイルに係る広告主は、予め、ユーザー登録の際に配信依頼者が希望する広告主を選択させ例について説明したが、次のような手段を採用してもよい。【０１０４】  管理サーバ４は、図１４に示すような広告主別ＵＲＬ選択テーブル（データベース）Ｃを備えておく。広告主別ＵＲＬ選択テーブルＣは、視聴者の携帯電話機６が管理サーバ４をアクセスして、第１の映像蓄積サーバ３に蓄積している第１の映像ファイルに関する映像の配信要求が発生したときに、この第１の映像ファイルに如何なる広告主の第２の映像ファイルを連結して、配信要求を行なった携帯電話機６に配信するかを決めるためのデータテーブルである。図１４に示すように、広告主別ＵＲＬ選択テーブルＣは、選択順番ｃ１、広告主名ｃ２、広告主コードｃ３等に関するデータが登録されている。【０１０５】  上記したように、本システムの運営者は、広告主の広告情報を視聴者の携帯電話機６に配信するサービスに対して対価を得ることが可能になる。そして、広告主からの対価に応じて、本システムの運営者は、視聴者からの第１の映像ファイルに係る映像の配信要求に対して、その広告主の第２の映像ファイルに係る映像を配信する頻度に差を設けるようにするとよい。図１４に示す広告主別ＵＲＬ選択テーブルＣは、この配信する頻度を設定したテーブルである。図１４に示す例では、選択順番ｃ１が「１」〜「６」のなかに、広告主「ＢＢ社」が２回設定されているので、６回配信要求が発生すると、広告主「ＢＢ社」に関する第２の映像ファイルに係る映像が２回配信されることを示す。【０１０６】  管理サーバが備えているプログラムにより、図１４に示す広告主別ＵＲＬ選択テーブ���Ｃを用いて、広告主を決定する方法は次のようにして行なうことができる。【０１０７】  携帯電話機６からの最初の配信要求に対しては、広告主別ＵＲＬ選択テーブルＣを参照して選択順番が「１」に相当して登録されている広告主コードｃ３「００００１」を取り出し、続いて、映像配信管理データベースＡを参照して、この広告主コードｃ３「００００１」に対応して登録されている第２の映像蓄積サーバのＵＲＬ（ａ３）を求める。これにより、視聴者の携帯電話機６が配信要求された第１の映像ファイルは、広告主コードｃ３「００００１」に対応して映像配信管理データベースＡに登録されている第２の映像蓄積サーバのＵＲＬ（ａ３）に記憶されている第２の映像ファイルが連結されることになる。【０１０８】  続いて、次の配信要求が発生すると、管理サーバ４は、広告主別ＵＲＬ選択テーブルＣを参照して選択順番ｃ１が「２」に相当して登録されている広告主コードｃ３「００００２」を取り出し、上記と同様の手順でこの広告主コードｃ３に対応する第２の映像ファイルを蓄積する第２の映像蓄積サーバのＵＲＬを求める処理を行なう。以下、順次、配信要求が発生する都度、広告主別ＵＲＬ選択テーブルＣ選択順番ｃ１の「１」〜「６」を順番に参照して第２の映像蓄積サーバのＵＲＬを求める処理を行なう。
これにより、６回配信要求が発生すると、広告主「ＢＢ社」に関する第２の映像ファイルに係る映像が２回配信されることになる。【０１０９】  また、第２の映像蓄積サーバ５は、第１の映像蓄積サーバ３から第２の映像ファイルの転送要求を受信すると、次のようなプログラム処理により、第１の映像蓄積サーバ３に転送する第２の映像ファイルを決定する処理を行なうようにしてもよい。【０１１０】  第２の映像蓄積サーバ５側は、予め商品ごとに複数の第２の映像ファイルを作成して第２の映像蓄積サーバ５に登録しておく。そして、日または１日の時間帯に応じて複数の第２の映像ファイルのいずれかを第１の映像蓄積サーバ３に転送するための転送スケジュールを設定したデータテーブルを備えておく。第１の映像蓄積サーバ３から第２の映像ファイルの転送要求を受信すると、このデータテーブルを参照して転送する第２の映像ファイルを決定し、このファイルを第１の映像蓄積サーバ３に送信する。【０１１１】  上記した第２の映像ファイルを選択する手段を採用すると、広告主側が多数の商品等を販売している場合、各商品に関する広告情報を含む映像を、順次配信することが可能になるので、その広告効果の向上を得ることができるようになる。
【図面の簡単な説明】
【０１１２】
【図１】  本発明のシステムを実施するための、システム構成の一例を説明する図である。
【図２】  図１に示す管理サーバが備えている映像配信管理データベースの構成を説明するための図である。
【図３】  同じく、図１に示す管理サーバが備えている機体番号データベースの構成を説明するための図である。
【図４】  本発明のシステムにおいて、動作の流れとそれに伴う処理内容を説明するための図である。
【図５】  同じく、本発明のシステムにおいて、動作の流れとそれに伴う処理内容を説明するための図である。
【図６】  配信依頼者が管理サーバにユーザー登録を行なったときに、配信依頼者の携帯電話機に表示するＷｅｂページの表示内容を説明するための図である。
【図７】  同じく、配信依頼者が携帯電話機の機体番号の登録を行なうときに、管理サーバが配信依頼者の携帯電話機に表示するＷｅｂページの表示内容を説明するための図である。
【図８】  同じく、配信依頼者が携帯電話機の機体番号の登録が終了したときに、管理サーバが配信依頼者の携帯電話機に表示するＷｅｂページの表示内容を説明するための図である。
【図９】  同じく、配信依頼者が映像を第１の映像蓄積サーバにアップロードするときに、管理サーバが配信依頼者の携帯電話機に表示するＷｅｂページの表示内容を説明するための図である。
【図１０】  同じく、配信依頼者が映像を第１の映像蓄積サーバにアップロードするときに、管理サーバが配信依頼者の携帯電話機に表示するＷｅｂページの表示内容を説明するための図である。
【図１１】  同じく、配信依頼者が映像を第１の映像蓄積サーバにアップロードするときに、管理サーバが配信依頼者の携帯電話機に表示する他のＷｅｂページの表示内容を説明するための図である。
【図１２】  本発明において、第１の映像ファイルと第２の映像ファイルとを一つのファイルに連結するときに、その連結する第１と第２のファイルの配列例を説明するための図である。
【図１３】  本発明において、第１の映像ファイルと第２の映像ファイルとを一つのファイルに連結するときに、その連結する第１と第２のファイルの他の配列例を説明するための図である。
【図１４】  管理サーバが備えている広告主別ＵＲＬ選択テーブルの構成を説明するための図である。
【符号の説明】
【０１１３】  １ａ、１ｂ：配信依頼者の携帯電話機
２：配信依頼者の端末装置
３：第１の映像蓄積サーバ
４：管理サーバ
５ａ、５ｂ：第２の映像蓄積サーバ
６ａ、６ｂ：視聴者の携帯電話機
７：インターネット
Ａ：映像配信管理データベース
Ｂ：機体番号データベース
Ｃ：広告主別ＵＲＬ選択テーブル
Ｇ１、Ｇ２、Ｇ３、Ｇ４、Ｇ５、Ｇ６：携帯電話機用Ｗｅｂページ
【図１】
2007221739.tif 000003
【図２】
2007221739.tif 000004
【図３】
2007221739.tif 000005
【図１２】
2007221739.tif 000006
【図１３】
2007221739.tif 000007
【図４】
2007221739.tif 000008
【図５】
2007221739.tif 000009
【図６】
2007221739.tif 000010
【図７】
2007221739.tif 000011
【図８】
2007221739.tif 000012
【図９】
2007221739.tif 000013
【図１０】
2007221739.tif 000014
【図１１】
2007221739.tif 000015
【図１４】
2007221739.tif 000016